(57)【特許請求の範囲】
【請求項１】
包装箱の中に、レンズ部材、中間部材、固定部材が収納され、
前記包装箱の前面には、前記レンズ部材のレンズを通して携帯端末の映像を鑑賞できるように、レンズ用貫通孔が、あるいは、レンズ用貫通孔を形成するためのレンズ用切抜き線が設けられ、
前記中間部材は、前記レンズ部材と前記携帯端末の映像との距離を調整するスペーサーと内容物収納部との両方の機能を兼ね、
前記固定部材は、前記携帯端末を固定するように形成されており、
前記包装箱の上面には、前記携帯端末を挿入する貫通孔を開けるための携帯端末用切抜き線が設けられており、
前記包装箱のいずれかの面に、前記携帯端末を操作するための貫通孔を形成するための操作用切抜き線が設けられ、前記中間部材の前記操作用切抜き線と重なる位置が開いていることを特徴とする映像鑑賞機能付き包装容器。
【請求項２】
前記中間部材は、透明プラスチックシートからなり、横方向に角筒状に形成されていることを特徴とする請求項１に記載の映像鑑賞機能付き包装容器。
【請求項３】
前記固定部材は、１枚のシートからなり、２つ折りまたは複数折り重ねられ、すくなくとも１箇所に、折罫と切れ目により前記携帯端末の収納部が形成されていることを特徴とする請求項１又は２に記載の映像鑑賞機能付き包装容器。
【請求項４】
前記固定部材は、前記携帯端末を背面から押圧してずれないように固定していることを特徴とする請求項１から３のいずれか１項に記載の映像鑑賞機能付き包装容器。
【請求項５】
前記レンズ部材は、折り返されたシートにレンズ用の貫通孔を設け、左右用の２枚のレンズを、あるいは、２つレンズが形成されたレンズシートを挟んで形成されていることを特徴とする請求項１から４のいずれか１項に記載の映像鑑賞機能付き包装容器。
【発明の詳細な説明】
【技術分野】
【０００１】
本発明は、映像鑑賞機能付き包装容器に関するものである。具体的には、スマートフォンなどの携帯端末の映像を鑑賞する機能付きの包装容器に関するものである。
【背景技術】
【０００２】
スマートフォンなどの携帯端末の小さい映像を拡大して見るビュアーが、色々提案されている。特に、画像を立体視するための３Ｄビュアーについての提案が多くされている。人間が物を立体として認識するのは、その物を左右の目で、角度を変えて見ているからであり、このように、人間の両眼の視差と同じ角度になるように、一つの物を見る角度を変えて表した少なくとも２つの画像を、左右の目にそれぞれ振り分けて提示すれば、両眼の画像が脳内で同時に知覚・合成されるため、立体的な感覚を得ることができる。
【０００３】
例えば、３Ｄ立体映像処理した画像を見る際に、立体映像を簡易な装置により奥行きのある画像として見えるようにした立体映像鑑賞装置がある。
【０００４】
この立体映像鑑賞装置は、内部に反射面を有し、両端にそれぞれ第１開口部と第２開口部を備えた第１筒と第２筒と、第１筒と第２筒をそれぞれ保持するとともに、画像を表示可能な画像表示装置を保持できる保持部を有している（特許文献１）。
【０００５】
また、画像表示装置を載置する台座部を有して、机などの台上に置いて、手で持つことなく、観察姿勢を安定させて見ることのできる映像観察装置もある（特許文献２）。
【０００６】
更にまた、観察者の眼前に配置され、左右の眼に対応した箇所に配置されるレンズ部と、情報処理端末が設置される台座部と、レンズ部と台座部との間に保持され、情報処理端末に表示された映像光をレンズ部に向けて反射させるミラー部とを備えレンズ部、台座部、及びミラー部は、折りたたみ可能に連結されている映像観察装置がある（特許文献３）。
【０００７】
樹脂などで形成された映像鑑賞装置では、これを包装するために紙箱のようなしっかりとしたパッケージが必要である。また、紙製で組み立てて形成する映像鑑賞装置では、複雑な組み立てを行わなければならず、使用者が手にしてすぐに使用できるものではなかった。
【０００８】
公知文献を以下に示す。
【先行技術文献】
【特許文献】
【０００９】
【特許文献１】特開２０１５−１１３３７号公報
【特許文献２】実用新案登録第３１８５４５８号公報
【特許文献３】実用新案登録第３１８３２２８号公報
【発明の概要】
【発明が解決しようとする課題】
【００１０】
本発明は上記のような事情に鑑みてなされたもので、包装容器として使用して、内容物を取り出した後、複雑な組み立てをすることなく、携帯端末の映像鑑賞をすることのできる映像鑑賞機能付き包装容器を提供することを課題としている。
【課題を解決するための手段】
【００１１】
本発明は係る課題に鑑みなされたものであり、請求項１の発明は、包装箱の中に、レンズ部材、中間部材、固定部材が収納され、
前記包装箱の前面には、前記レンズ部材のレンズを通して携帯端末の映像を鑑賞できるように、レンズ用貫通孔が、あるいは、レンズ用貫通孔を形成するためのレンズ用切抜き線が設けられ、
前記中間部材は、前記レンズ部材と前記携帯端末の映像との距離を調整するスペーサーと内容物収納部との両方の機能を兼ね、
前記固定部材は、前記携帯端末を固定するように形成されており、
前記包装箱の上面には、前記携帯端末を挿入する貫通孔を開けるための携帯端末用切抜き線が設けられており、
前記包装箱のいずれかの面に、前記携帯端末を操作するための貫通孔を形成するための操作用切抜き線が設けられ、前記中間部材の前記操作用切抜き線と重なる位置が開いていることを特徴とする映像鑑賞機能付き包装容器である。
【００１４】
本発明の請求項２の発明は、前記中間部材は、透明プラスチックシートからなり、横方向に角筒状に形成されていることを特徴とする請求項１に記載の映像鑑賞機能付き包装容器である。
【００１５】
本発明の請求項３の発明は、前記固定部材は、１枚のシートからなり、２つ折りまたは複数折り重ねられ、すくなくとも１箇所に、折罫と切れ目により前記携帯端末の収納部が形成されていることを特徴とする請求項１又は２に記載の映像鑑賞機能付き包装容器である。
【００１６】
本発明の請求項４の発明は、前記固定部材は、前記携帯端末を背面から押圧してずれないように固定していることを特徴とする請求項１から３のいずれか１項に記載の映像鑑賞機能付き包装容器である。
【００１７】
本発明の請求項５の発明は、前記レンズ部材は、折り返されたシートにレンズ用の貫通孔を設け、左右用の２枚のレンズを、あるいは、２つレンズが形成されたレンズシートを挟んで形成されていることを特徴とする請求項１から４のいずれか１項に記載の映像鑑賞機能付き包装容器である。
【発明の効果】
【００１８】
本発明の映像鑑賞機能付き包装容器は、包装容器として使用して、内容物を取り出した後、複雑な組み立てをすることなく、携帯端末の映像を鑑賞する機能を有する。
【図面の簡単な説明】
【００１９】
【図１】本発明の映像鑑賞機能付き包装容器の第１の実施形態を模式的に斜視で示した説明図である。
【図２】本発明の映像鑑賞機能付き包装容器の第１の実施形態を上方から見た断面を模式的に示した説明図である。
【図３】本発明の映像鑑賞機能付き包装容器の第１の実施形態で中の部材を引き出した状態を模式的に平面で示した説明図である。
【図４】本発明の映像鑑賞機能付き包装容器の第１の実施形態の包装箱のブランクを模式的に示した説明図である。
【図５】本発明の映像鑑賞機能付き包装容器の第１の実施形態の包装箱の製函方法を説明する平面図である。
【図６】本発明の映像鑑賞機能付き包装容器の第１の実施形態の包装箱の製函方法を説明する図で、（ａ）平面図、（ｂ）右側面図である。
【図７】本発明の映像鑑賞機能付き包装容器の第１の実施形態のレンズ部材の台紙のブランクを模式的に示した説明図である。
【図８】本発明の映像鑑賞機能付き包装容器の第１の実施形態のレンズ部材を模式的に示した説明図である。
【図９】本発明の映像鑑賞機能付き包装容器の第１の実施形態の中間部材のブランクを模式的に示す説明図である。
【図１０】本発明の映像鑑賞機能付き包装容器の第１の実施形態の中間部材を模式的に斜視で示す説明図である。
【図１１】本発明の映像鑑賞機能付き包装容器の第１の実施形態の固定部材のブランクを模式的に示す説明図である。
【図１２】本発明の映像鑑賞機能付き包装容器の第１の実施形態の固定部材を模式的に示した説明図で、（ａ）平面図、（ｂ）正面図である。
【図１３】本発明の映像鑑賞機能付き包装容器の第１の実施形態で映像鑑賞機能を使用するときの状態を模式的に上方から見た断面で示した説明図である。
【図１４】本発明の映像鑑賞機能付き包装容器の第１の実施形態で用いる他の中間部材を模式的に斜視で示す説明図である。
【図１５】本発明の映像鑑賞機能付き包装容器の第１の実施形態で遮光板を設けた状態を模式的に斜視で示した説明図である。
【図１６】本発明の映像鑑賞機能付き包装容器の第２の実施形態を模式的に斜視で示した説明図である。
【図１７】本発明の映像鑑賞機能付き包装容器の第２の実施形態を上方から見た断面を模式的に示した説明図である。
【図１８】本発明の映像鑑賞機能付き包装容器の第２の実施形態で中の部材を引き出した状態を模式的に斜視で示した説明図である。
【図１９】本発明の映像鑑賞機能付き包装容器の第２の実施形態の包装箱のブランクを模式的に示した説明図である。
【図２０】（ａ）（ｂ）本発明の映像鑑賞機能付き包装容器の第２の実施形態の包装箱の製函方法を説明する図である。
【図２１】本発明の映像鑑賞機能付き包装容器の第２の実施形態の包装箱の製函方法を説明する図で、（ａ）正面図、（ｂ）平面図である。
【図２２】本発明の映像鑑賞機能付き包装容器の第２の実施形態のレンズ部材の台紙のブランクを模式的に示した説明図である。
【図２３】本発明の映像鑑賞機能付き包装容器の第２の実施形態のレンズ部材を模式的に示した説明図である。
【図２４】本発明の映像鑑賞機能付き包装容器の第２の実施形態の中間部材のブランクを模式的に示す説明図である。
【図２５】本発明の映像鑑賞機能付き包装容器の第２の実施形態の中間部材を模式的に斜視で示す説明図である。
【図２６】本発明の映像鑑賞機能付き包装容器の第２の実施形態の固定部材を模式的に示す説明図で、（ａ）正面図、（ｂ）平面図である。
【図２７】本発明の映像鑑賞機能付き包装容器の第２の実施形態で映像鑑賞機能を使用するときの状態を模式的に上方から見た断面で示した説明図である。
【図２８】本発明の映像鑑賞機能付き包装容器の第２の実施形態で用いる他の固定部材を模式的に示した説明図で、（ａ）平面図、（ｂ）正面図である。
【発明を実施するための形態】
【００２０】
＜第１の実施形態＞
以下、本発明を実施するための第１の実施形態につき説明する。
図１は、本発明の映像鑑賞機能付き包装容器の第１の実施形態を模式的に斜視で示した説明図、図２は、本発明の映像鑑賞機能付き包装容器の第１の実施形態を上方から見た断面を模式的に示した説明図、図３は、本発明の映像鑑賞機能付き包装容器の第１の実施形態で中の部材を引き出した状態を模式的に平面で示した説明図である。
【００２１】
図１の斜視図、図２の断面図に示す第１の実施形態の映像鑑賞機能付き包装容器１０００は、図１の蓋面板８を開封して、図３に示す中の部材を引き出した状態の平面図のように、包装箱１００の中に手前より、レンズ部材２００、中間部材３００、固定部材４００が順次収納されている。
【００２２】
包装箱１００の下面の下面板３には、スマートフォンなどの携帯端末を包装箱１００の外から手をいれて操作するための操作用切抜き線６が設けられている。尚、操作用切抜き線６は、上面板１に設けられていてもよい。また、前面の前面板２には、レンズ部材２００のレンズを通して携帯端末の映像を鑑賞できるようにするための貫通孔を形成するためのレンズ用切抜き線７が設けられている。
【００２３】
図４は、本発明の映像鑑賞機能付き包装容器の第１の実施形態の包装箱のブランクを模式的に示す説明図、図５は、本発明の映像鑑賞機能付き包装容器の第１の実施形態の包装箱の製函方法を説明する平面図、図６は、本発明の映像鑑賞機能付き包装容器の第１の実施形態の包装箱の製函方法を説明する図で、（ａ）平面図、（ｂ）右側面図である。
【００２４】
包装箱１００は厚紙や段ボール紙などのシート状の不透明な材料からなり、図４に示すブランク１０１から製函されている。ブランク１０１は、図の左右中央の上から、上面板１、前面板２、下面板３、後面板４と、貼着板５が折罫を介して連設されている。
【００２５】
下面板３には、スマートフォンなどの携帯端末の画面等を包装箱１００の外から手をいれて操作するための操作用切抜き線６が設けられている。また、前面板２には、レンズ部材２００のレンズを通して携帯端末の画像を鑑賞できるようにするためのレンズ用切抜き線７が設けられ、レンズ用切抜き線７に沿って破断して取り除き、貫通孔を形成できるようになっている。
【００２６】
後面板４の左側には、蓋面板８が設けられ、更に蓋面板８の左側に差込片９が設けられている。上面板１と下面板３の左側には、それぞれ、上左フラップ１０、下左フラップ１１が設けられている。
【００２７】
また、前面板２の右側には、両端が突き出し、中央部が窪んだ前面側フラップ１２が設けられ、後面板４の右側には、中央部分が突き出した後面側フラップ１３が設けられ、上面板１と下面板３の右側には、それぞれ、片側が水平に延び、反対側が斜めに延びた後、上下の略中間で凸部が形成された上右フラップ１４、下右フラップ１５が設けられ、「セミオートマティックボトム」と呼ばれる底部が形成されている。尚、底部の形態は上述のものに限られるものではなく、一般に知られている形態の使用が可能である。
【００２８】
このブランク１０１から包装箱１００を製函するには、図５のように、後面板４と下面板３の間の折罫を折り、更に、前面板２と上面板１の間の折罫を折り、貼着板５の外面を上面板１の内面に接着剤などで接着する。
【００２９】
そして、角筒状に起こして、前面側フラップ１２を内方に倒し、その外側に上右フラッ
プ１４、下右フラップ１５を倒して、上右フラップ１４、下右フラップ１５の凸部を前面側フラップ１２の内側に入れる。次に、後面側フラップ１３の突き出した中央部分を前面側フラップ１２の下に差し込む。
【００３０】
これにより、図６の（ａ）平面図、（ｂ）右側面図のように、包装箱１００の右側が形成される。この包装箱１００に、レンズ部材２００、中間部材３００、固定部材４００を挿入して、図１のような映像鑑賞機能付き包装容器が製造される。菓子などの内容物を収納する際は、中間部材３００の中に収納することができる。
【００３１】
図７は、本発明の映像鑑賞機能付き包装容器の第１の実施形態のレンズ部材の台紙のブランクを模式的に示す説明図、図８は、本発明の映像鑑賞機能付き包装容器の第１の実施形態のレンズ部材を模式的に示す説明図である。
【００３２】
本実施形態のレンズ部材２００は、プラスチック製の２つのレンズ２１０、２１０と、厚紙や段ボールなどのシートで形成されている台紙２２０とからなっている。台紙２２０は、図７に示すように、第１シート２１、第２シート２２、第３シート２３が、それぞれ２本の折罫を介して連設されている。
【００３３】
第１シート２１、第２シート２２、第３シート２３には、それぞれ２つずつ、貫通孔からなるレンズ孔２１ａ、２１ｂ、２２ａ、２２ｂ、２３ａ、２３ｂが設けられている。第１シート２１のレンズ孔２１ａ、２１ｂは、レンズ２１０、２１０が、ちょうど収まる大きさで設けられていて、レンズ孔２２ａ、２２ｂ、２３ａ、２３ｂはレンズを前後から押さえるようにレンズ２１０、２１０より若干小さく設けられていて、レンズ２１０、２１０の周端部分を抑えるようになっている。
【００３４】
まず、第１シート２１を第２シート２２の上に、間の２本の折罫を折って重ねる。そして、レンズ２１０、２１０を第１シート２１のレンズ孔２１ａ、２１ｂに入れる。次に、第３シート２３を、第１シート２１の上に重ねる。
【００３５】
これによって、第１シート２１のレンズ孔２１ａ、２１ｂに入ったレンズ２１０、２１０が、第２シート２２と第３シート２３で前後から押さえられ固定される。このようにより、レンズ部材２００が、図８のように組み立てられる。尚、第１シート２１と第２シート２２の間、第１シート２１と第３シート２３の間は、接着して固定する。
【００３６】
本実施形態のレンズ部材２００では、２つのレンズ２１０、２１０を別々に用いたが、２つのレンズが１枚のシートに設けられたレンズシートを用いることもできる。この場合、第２シートにレンズシートが収納される貫通孔を設け、第１シートと第３シートとで前後から押さえて固定できるようにすればよい。また、第１シートや第３シートに設ける貫通孔は、２つのレンズが露出されるような１つの貫通孔で設けてもよいし、２つのレンズを別々に露出するように２つの貫通孔を設けてもよい。
【００３７】
図９は、本発明の映像鑑賞機能付き包装容器の第１の実施形態の中間部材のブランクを模式的に示す説明図、図１０は、本発明の映像鑑賞機能付き包装容器の第１の実施形態の中間部材を模式的に斜視で示す説明図である。
【００３８】
本実施形態の中間部材３００は、透明プラスチックシートを打ち抜き、折罫を設けた図９に示すようなブランク３０１から、折り曲げ、貼着して形成されている。ブランク３０１は、図の上から、床面板３１、後壁面板３２、天面板３３、前壁面板３４と、貼着片３５からなっている。
【００３９】
天面板３３には、包装箱１００の操作用切抜き線６と重なる位置に操作用開口部３６が、切り抜かれ設けられている。尚、右側にも操作用開口部３７が設けられていて、包装箱１００に入れる際に左右が逆になっても、包装箱１００の操作用切抜き線６と重なる位置に操作用開口部が来るようにしている。
【００４０】
ブランク３０１は、床面板３１、後壁面板３２、天面板３３、前壁面板３４を角筒状に折って、貼着片３５の外面を、床面板３１の内面に貼着させて、図１０のように、中間部材３００を形成する。中間部材３００の中に内容物を入れて、内容物ごと包装箱１００に収納させる。
【００４１】
本実施形態では、中間部材３００は透明プラスチックシートを折って、貼着させて形成したが、インジェクション成型や、シート成型などで成型して中間部材を作成しても良い。使用するプラスチックとしては、ポリエスエル系樹脂や、ポリスチレン、ポリ塩化ビニルなどの透明性の優れたプラスチックを用いることが好ましい。
【００４２】
図１１は、本発明の映像鑑賞機能付き包装容器の第１の実施形態の固定部材のブランクを模式的に示す説明図、図１２は、本発明の映像鑑賞機能付き包装容器の第１の実施形態の固定部材を模式的に示した説明図で、（ａ）平面図、（ｂ）正面図である。
【００４３】
本実施形態の固定部材４００は、厚紙や段ボール紙などのシートからなり、切れ目や折罫を設けたブランク４０１から組み立て形成されている。ブランク４０１には、異なる大きさの携帯端末固定部４１０、４２０が、２本の折罫４３１、４３２を挟んで、２つ設けられている。
【００４４】
内容物が包装された包装箱１００では、この２本の折罫４３１、４３２で２つ折りされただけの固定部材４００が収納されている。包装された内容物を取り出した後、使用者が、使用する携帯端末の大きさによって、異なる大きさの携帯端末固定部４１０、４２０のうちのいずれかを使用する。
【００４５】
使用する携帯端末固定部４１０の縦方向の折罫のうち、外側の縦外折罫４１、４１を山折りし、内側の縦内折罫４２、４２を谷折りする。また、横方向の折罫のうち、外側の横外折罫４３、４３を山折りし、内側の横内折罫４４、４４を谷折りする。
【００４６】
そして、携帯端末固定部を使用しない側を、間に設けた２本の折罫４３１、４３２で折って、裏側に重ねる。これにより、図１２の（ａ）平面図、（ｂ）正面図のように、凹部からなる携帯端末固定部４１０が形成された固定部材４００が形成される。
【００４７】
内容物が収納され包装された状態の映像鑑賞機能付き包装容器では、２つ折りされただけの状態で、固定部材４００が収納され、また、更に異なる大きさの携帯端末固定部を設けた別の固定部材を一緒に入れておけば、より多くの携帯端末の大きさに対応できるようになる。
【００４８】
以上のように組み立てたレンズ部材２００、組み立てて内容物を収納した中間部材３００と、携帯端末固定部４１０を組み立てずに２つ折りした固定部材４００を、包装箱１００に収納して、図１、図２のような映像鑑賞機能付き包装容器１０００を製造する。
【００４９】
図１３は、本実施形態の映像鑑賞機能付き包装容器１０００で映像鑑賞機能を使用するときの状態を模式的に上方から見た断面で示した説明図である。
【００５０】
映像鑑賞機能を使用するには、蓋面板８を開封して、中の各部材を抜き出し、中間部材
３００の中の内容物を取り出し、固定部材４００の携帯端末固定部４１０を組み立てて、携帯端末５００を収めて固定する。
【００５１】
包装箱１００は、下面板３の操作用切抜き線６に沿って切り取って操作用の貫通孔を設け、また、前面板２のレンズ用切抜き線７を切り取ってレンズを通して映像を鑑賞するためのレンズ用の貫通孔を設ける。
【００５２】
そして、中間部材３００を包装箱１００の中に挿入し、レンズ部材を、挿入された中間部材３００と前面板２の間に挿入し、携帯端末を収めた固定部材４００を中間部材３００と後面板４の間に挿入し、蓋面板８を閉める。
【００５３】
このようにセットすることにより、中間部材３００が透明プラスチックシートからなっていることから、図１３のように、包装箱１００の前面板２に開けたレンズ用の貫通孔から、レンズ部材２００のレンズ２１０、２１０を通して、携帯端末５００の映像を拡大して、または、立体的に鑑賞することができる。
【００５４】
また、包装箱１００には、下面板３の操作用切抜き線６を切り取って操作用の貫通孔が設けられ、中間部材３００には、操作用切抜き線６と重なる位置に操作用開口部３６が設けられているので、携帯端末の画面等の操作を包装箱１００に収納したまま行うことができる。
【００５５】
図１４は、本発明の映像鑑賞機能付き包装容器の第１の実施形態で用いる他の中間部材を模式的に斜視で示す説明図、図１５は、本発明の映像鑑賞機能付き包装容器の第１の実施形態で遮光板を設けた状態を模式的に斜視で示した説明図である。
【００５６】
本実施形態の映像鑑賞機能付き包装容器１０００において、中間部材３００に、図１４のように、仕切り板３８を設けても良い。仕切り板３８は、材質には特に拘らないが、不透明な板で設けることが好ましい。特に黒い色の板で設けることが好ましい。
【００５７】
また、外界の光の影響を取り除くために、図１５のように、包装箱１００に遮光板１６、１６を取り付けることもできる。本実施形態では後付けで設けたが、包装箱１００のブランク１０１から設けておいてもよい。後付けで設ける場合、接着剤で取り付けても良いし、他の方法でもよい。
【００５８】
以上のように、本実施形態の映像鑑賞機能付き包装容器１０００は、包装容器として使用して、内容物を取り出した後、複雑な組み立てをすることなく、携帯端末の映像鑑賞をすることができる。
【００５９】
また、携帯端末の操作を包装箱１００に収納したまま行うことができる。更に携帯端末のサイズに合わせて、適切な携帯端末固定部を有する固定部材を選択使用することができる。右側面を閉じる構造も差込片などがないので、映像鑑賞機能を使用するために、各部材を包装箱１００に挿入するときに、つかえることがなく、スムーズに挿入することができる。
【００６０】
＜第２の実施形態＞
以下、本発明を実施するための第２の実施形態につき説明する。
図１６は、本発明の映像鑑賞機能付き包装容器の第２の実施形態を模式的に斜視で示した説明図、図１７は、本発明の映像鑑賞機能付き包装容器の第２の実施形態を上方から見た断面を模式的に示した説明図、図１８は、本発明の映像鑑賞機能付き包装容器の第２の実施形態で中の部材を引き出した状態を模式的に斜視で示した説明図である。
【００６１】
図１６の斜視図、図１７の断面図に示す第２の実施形態の映像鑑賞機能付き包装容器２０００は、図１８に示す蓋面板５８を開封して、中の部材を引き出した状態の斜視図のように、包装箱６００の中に手前より、レンズ部材７００、中間部材８００、固定部材９００が順次収納されている。
【００６２】
包装箱６００の上面の上面板５１には、携帯端末を挿入する貫通孔を開けるための携帯端末用切抜き線６６が設けられている。また、前面の前面板５２には、レンズ部材７００のレンズを通して携帯端末の映像を鑑賞できるようにするための貫通孔を形成するためのレンズ用切抜き線５７、５７が設けられている。
【００６３】
図１９は、本発明の映像鑑賞機能付き包装容器の第２の実施形態の包装箱のブランクを模式的に示した説明図、図２０（ａ）（ｂ）は、本発明の映像鑑賞機能付き包装容器の第２の実施形態の包装箱の製函方法を説明する図、図２１は、本発明の映像鑑賞機能付き包装容器の第２の実施形態の包装箱の製函方法を説明する図で、（ａ）正面図、（ｂ）平面図である。
【００６４】
包装箱６００は、厚紙や段ボール紙などのシート状の不透明な材料からなり、図１９に示すブランク６０１から製函されている。ブランク６０１は、図の左右中央の上から、貼着板５５と、下面板５３、後面板５４、上面板５１、前面板５２が折罫を介して連設されている。
【００６５】
下面板５３には、スマートフォンなどの携帯端末の画面等を包装箱６００の外から手をいれて操作するための操作用切抜き線５６が設けられている。また、上面板５１には、携帯端末を挿入する貫通孔を形成するための携帯端末用切抜き線６６が設けられている。尚、携帯端末用切抜き線６６はその切り抜き開始のための切れ目が後面板５４から設けられている。
【００６６】
更に、前面板５２には、レンズ部材７００のレンズを通して携帯端末の画像を鑑賞するためのレンズ用切抜き線５７、５７が設けられ、レンズ用切抜き線５７、５７に沿って破断して取り除き、貫通孔を形成できるようになっている。
【００６７】
上面板５１の右側には、蓋面板５８が設けられ、更に蓋面板８の右側に差込片５９が設けられている。後面板５４と前面板５２の右側には、それぞれ、後右フラップ６０、前右フラップ６１が設けられている。
【００６８】
また、上面板５１の左側には、両端が突き出し、中央部が窪んだ上面側フラップ６２が設けられ、下面板５３の左側には、中央部分が突き出した下面側フラップ６３が設けられ、後面板５４と前面板５２の左側には、それぞれ、片側が水平に延び、反対側が斜めに延びた後上下の略中間で凸部が形成された後左フラップ６４、前左フラップ６５が設けられ、「グルーロックボトム」と呼ばれる底部が形成されている。尚底部の形態は上述の形態に限られるものではなく、一般的に知られている形態の使用が可能である。
【００６９】
このブランク６０１から包装箱６００を製函するには、下面板５３と後面板５４の間の折罫を折り、更に、上面板５１と前面板５２の間の折罫を折り、貼着板５５の外面を前面板５２の内面に接着剤などで接着すると、図２０（ａ）の前面板５２、下面板５３側から見た図、図２０（ｂ）の後面板５４、上面板５１側から見た図のようになる。
【００７０】
そして、角筒状に起こして、上面側フラップ６２を内方に倒し、その外側に後左フラップ６４、前左フラップ６５を倒して、後左フラップ６４、前左フラップ６５の凸部を上面
側フラップ６２の内側に入れる。次に、下面側フラップ６３の突き出した中央部分を上面側フラップ６２の下に差し込む。
【００７１】
これにより、図２１の（ａ）正面図、（ｂ）平面図のように、包装箱６００が角筒状に形成される。この包装箱６００に、レンズ部材７００、中間部材８００、固定部材９００を挿入して、蓋を閉じると、図１６、１７のような映像鑑賞機能付き包装容器２０００が製造される。菓子などの内容物を収納する際は、中間部材８００の中に収納することができる。
【００７２】
図２２は、本発明の映像鑑賞機能付き包装容器の第２の実施形態のレンズ部材の台紙のブランクを模式的に示した説明図、図２３は、本発明の映像鑑賞機能付き包装容器の第２の実施形態のレンズ部材を模式的に示した説明図である。
【００７３】
本実施形態のレンズ部材７００は、プラスチック製の２つのレンズ７１０、７１０と、厚紙や段ボールなどのシートで形成されている台紙７２０とからなっている。台紙７２０は、図２２に示すように、第１シート７１、第２シート７２、第３シート７３が、それぞれ２本の折罫を介して連設されている。
【００７４】
第１シート７１、第２シート７２、第３シート７３には、それぞれ２つずつ、貫通孔からなるレンズ孔７１ａ、７１ｂ、７２ａ、７２ｂ、７３ａ、７３ｂが設けられている。第１シート２１のレンズ孔７１ａ、７１ｂは、レンズ７１０、７１０が、ちょうど収まる大きさで設けられていて、レンズ孔７２ａ、７２ｂ、７３ａ、７３ｂはレンズ７１０、７１０を前後から押さえるようにレンズ７１０、７１０より若干小さく設けられていて、レンズ７１０、７１０の周端部分を抑えるようになっている。
【００７５】
まず、第１シート７１を第２シート７２の上に間の２本の折罫を折って重ねる。そして、レンズ７１０、７１０を第１シート７１のレンズ孔７１ａ、７１ｂに入れる。次に、第３シート７３を、第１シート７１の上に重ねる。
【００７６】
これによって、第１シート７１のレンズ孔７１ａ、７１ｂに入ったレンズ７１０、７１０が、第２シート７２と第３シート７３で前後から押さえられ固定される。このようにして、レンズ部材７００が、図２３のように組み立てられる。尚、第１シート７１と第２シート７２の間、第１シート７１と第３シート７３の間は、接着させて固定する。
【００７７】
本実施形態のレンズ部材７００でも、２つのレンズ７１０、７１０を別々に用いたが、２つのレンズが１枚のシートに設けられたレンズシートを用いることもできる。この場合、第２シートにレンズシートが収納される形状の貫通孔を設け、第１シートと第３シートとで前後から押さえて固定できるようにすればよい。また、第１シートや第３シートに設ける貫通孔は、２つのレンズが露出されるような１つの貫通孔で設けてもよいし、２つのレンズを別々に露出するように２つの貫通孔を設けてもよい。
【００７８】
図２４は、本発明の映像鑑賞機能付き包装容器の第２の実施形態の中間部材のブランクを模式的に示す説明図、図２５は、本発明の映像鑑賞機能付き包装容器の第２の実施形態の中間部材を模式的に斜視で示す説明図である。
【００７９】
本実施形態の中間部材８００は、透明プラスチックシートを打ち抜き、折罫を設けた図２４に示すようなブランク８０１から、折り曲げ、貼着して形成されている。ブランク８０１は、図の上から、天面板８３、後壁面板８２、床面板８１、前壁面板８４と、貼着片８５からなっている。
【００８０】
床面板８１は、左右の幅が小さく形成されていて、包装箱６００の操作用切抜き線５６と重なる位置が開口（開放）されていて、包装箱６００の外側から携帯端末のタッチパネルなどの画面を操作できるようになっている。
【００８１】
天面板８３、後壁面板８２、床面板８１、前壁面板８４を角筒状に折って、貼着片８５の外面を、天面板８３の内面に貼着させて、図２５のように、中間部材８００を形成する。中間部材８００の中に内容物を入れて、内容物ごと包装箱６００に収納させる。
【００８２】
本実施形態では、中間部材８００は透明プラスチックシートを折って、貼着させて形成したが、インジェクション成型や、シート成型などで成型して中間部材を作成しても良い。使用するプラスチックとしては、ポリエスエル系樹脂や、ポリスチレン、ポリ塩化ビニルなどの透明性の優れたプラスチックを用いることが好ましい。
【００８３】
図２６は、本発明の映像鑑賞機能付き包装容器の第２の実施形態の固定部材を模式的に示す説明図で、（ａ）正面図、（ｂ）平面図である。
【００８４】
本実施形態の固定部材９００は、厚紙や段ボール紙、プラスチックシートなどのシート９１と、シート９１に取り付けた弾性体９２、９２とからなる。弾性体９２、９２は、発泡ポリプロピレンなどの発泡樹脂からなり、細長い角柱形状で、シート９１に縦に接着剤などで取り付けられている。弾性体９２、９２の弾性により、携帯端末を中間部材８００に押し付けて固定するようになっている。また、弾性体９２、９２を包装容器に同梱して、使用者の携帯端末の大きさに合わせて粘着シートや接着剤により取り付けて使用してもよい。
【００８５】
以上のように組み立てたレンズ部材７００、組み立てて内容物を収納した中間部材８００と、固定部材９００を包装箱６００に収納して、図１６、図１７のような映像鑑賞機能付き包装容器２０００を製造する。
【００８６】
図２７は、本発明の映像鑑賞機能付き包装容器の第２の実施形態で映像鑑賞機能を使用するときの状態を模式的に上方から見た断面で示した説明図である。
【００８７】
映像鑑賞機能を使用するには、蓋面板５８を開封して、中の各部材を抜き出し、中間部材８００の中の内容物を取り出す。
【００８８】
包装箱６００は、前面板５２のレンズ用切抜き線５７、５７を切り取ってレンズを通して映像を鑑賞するためのレンズ用の貫通孔を設ける。また、上面板５１の携帯端末用切抜き線６６も切り取って貫通孔を設け、これにより携帯端末の位置を微調節することもできる。更に、下面板５３の操作用切抜き線５６も切り取って、タッチパネルなどにより携帯端末を包装箱６００外側から操作できるようにする。
【００８９】
そして、中間部材８００を包装箱６００の中に挿入し、レンズ部材７００を挿入された中間部材８００と前面板５２の間に挿入し、固定部材９００を中間部材８００と後面板５４の間に挿入し、蓋面板５８を閉める。
【００９０】
そして、携帯端末５００を携帯端末用切抜き線６６も切り取った貫通孔から、固定部材９００と中間部材８００の間に挿入する。固定部材９００は、シート９１と細長い角柱形状の弾性体９２、９２からなっていて、携帯端末５００を挿入すると、弾性体９２、９２が圧迫され、携帯端末５００が、中間部材８００に押し付けられて固定される。
【００９１】
このようにセットすることにより、また、中間部材８００が透明プラスチックシートか
らなっていることから、図２７のように、包装箱６００の前面板５２に開けたレンズ用の貫通孔から、レンズ部材７００のレンズ７１０、７１０を通して、携帯端末５００の映像を大きくしてまたは立体的に鑑賞することができる。
【００９２】
また、包装箱６００には、下面板５３の操作用切抜き線５６を切り取って操作用の貫通孔が設けられ、中間部材８００の操作用切抜き線５６と重なる位置は開放されているので、携帯端末５００の画面等の操作を包装箱６００に収納したまま行うことができる。
【００９３】
図２８は、本発明の映像鑑賞機能付き包装容器の第２の実施形態で用いる他の固定部材を模式的に示した説明図で、（ａ）平面図、（ｂ）正面図である。
【００９４】
本実施形態の映像鑑賞機能付き包装容器２０００において、固定部材９００の代わりに、波型の中芯９３をライナー９４の片面にのみ貼り合わせた片段の段ボール紙で形成した、図２８に示すような固定部材９１０としてもよい。片段の段ボール紙で形成した場合、波型の中芯９３の面に携帯端末５００を少し押し付けるようにしてセットすると、携帯端末５００の部分の波型の中芯９３がつぶれて凹部が形成され、携帯端末５００がつぶれた中に納まり安定して固定される。また、携帯端末５００の大きさに合わせて波型の中芯９３を押しつぶして凹部を形成していてもよい。
【００９５】
また、映像鑑賞機能付き包装容器１０００と同様に、中間部材８００に仕切り板を設けてもよいし、包装箱６００に遮光板を取り付けることもできる。
【００９６】
以上のように、本実施形態の映像鑑賞機能付き包装容器２０００は、包装容器として使用して、内容物を取り出した後、複雑な組み立てをすることなく、携帯端末の映像鑑賞をすることができる。
【００９７】
また、携帯端末の操作を包装箱６００に収納したまま行うことができる。さらに携帯端末のサイズを特定することなく、どのようなサイズにも対応できる。そして、組み立てた後で、上方から携帯端末をセットすることができるので、取り扱い方がより簡単である。
【００９８】
以上のように、本発明の映像鑑賞機能付き包装容器は、包装容器として使用して、内容物を取り出した後、複雑な組み立てをすることなく、携帯端末の映像を鑑賞することができる。その対象とする携帯端末のサイズに関しても、特定のサイズに限定されることなく、大小に対応することができる。また、映像鑑賞機能付き包装容器１０００と映像鑑賞機能付き包装容器２０００に用いた部材などは、寸法を整えて、入れ替えて用いることもできる。
【符号の説明】
【００９９】
１０００、２０００・・・映像鑑賞機能付き包装容器
１００、６００・・・包装箱
１０１、６０１・・・ブランク
１、５１・・・上面板
２、５２・・・前面板
３、５３・・・下面板
４、５４・・・後面板
５、５５・・・貼着板
６、５６・・・操作用切抜き線
７、５７・・・レンズ用切抜き線
８、５８・・・蓋面板
９、５９・・・差込片
１０・・・上左フラップ
１１・・・下左フラップ
１２・・・前面側フラップ
１３・・・後面側フラップ
１４・・・上右フラップ
１５・・・下右フラップ
１６・・・遮光板
６０・・・後右フラップ
６１・・・前右フラップ
６２・・・上面側フラップ
６３・・・下面側フラップ
６４・・・後左フラップ
６５・・・前左フラップ
６６・・・携帯端末用切抜き線
２００、７００・・・レンズ部材
２１０、７１０・・・レンズ
２２０、７２０・・・台紙
・・・第１シート２１、７１
２２、７２・・・第２シート
２３、７３・・・第３シート
２１ａ、２１ｂ、２２ａ、２２ｂ、２３ａ、２３ｂ、７１ａ、７１ｂ、７２ａ、７２ｂ、７３ａ、７３ｂ・・・レンズ孔
３００、８００・・・中間部材
３０１、８０１・・・ブランク
３１、８１・・・床面板
３２、８２・・・後壁面板
３３、８３・・・天面板
３４、８４・・・前壁面板
３５、８５・・・貼着片
３６、３７操作用開口部
３８・・・仕切り板
４００、９００、９１０・・・固定部材
４１０、４２０・・・携帯端末固定部
４０１・・・ブランク
４３１、４３２・・・折罫
４１・・・縦外折罫
４２・・・縦内折罫
４３・・・横外折罫
４４・・・横内折罫
９１・・・シート
９２・・・弾性体
９３・・・波型の中芯
９４・・・ライナー
５００・・・携帯端末
【図１】
0006547471.tif 000002
【図２】
0006547471.tif 000003
【図３】
0006547471.tif 000004
【図４】
0006547471.tif 000005
【図５】
0006547471.tif 000006
【図６】
0006547471.tif 000007
【図７】
0006547471.tif 000008
【図８】
0006547471.tif 000009
【図９】
0006547471.tif 000010
【図１０】
0006547471.tif 000011
【図１１】
0006547471.tif 000012
【図１２】
0006547471.tif 000013
【図１３】
0006547471.tif 000014
【図１４】
0006547471.tif 000015
【図１５】
0006547471.tif 000016
【図１６】
0006547471.tif 000017
【図１７】
0006547471.tif 000018
【図１８】
0006547471.tif 000019
【図１９】
0006547471.tif 000020
【図２０】
0006547471.tif 000021
【図２１】
0006547471.tif 000022
【図２２】
0006547471.tif 000023
【図２３】
0006547471.tif 000024
【図２４】
0006547471.tif 000025
【図２５】
0006547471.tif 000026
【図２６】
0006547471.tif 000027
【図２７】
0006547471.tif 000028
【図２８】
0006547471.tif 000029